(57)【要約】【課題】基台上に立設された表示ポールに対しパネル挟持部を外すことなくその向きを容易に且つ確実に変えることができる商品情報の磁石式表示具を提供する【解決手段】磁石式表示具は基台１上に表示ポール２が立設され、表示ポール２の上端に表示パネルを挟持するパネル挟持部３が設けられる。基台の底部に磁石による吸着面が形成される。パネル挟持部３の下部に円筒部４が下向きに突設され、表示ポール２の先端に円筒部の内孔にスリーブ６が嵌着される。スリーブ６の外周に薄い角部付き突部６ａが軸方向に突設され、円筒部４の内孔の内周壁には円弧状曲面を有する複数の曲面膨出部５ａが円周方向に連設される。パネル挟持部３の円筒部４内に表示ポール先端のスリーブ６が回動可能に嵌め込まれる。【選択図】図１
2005181708.tif 000002
【特許請求の範囲】
【請求項１】
基台上に表示ポールが立設され、該表示ポールの上端に表示パネルを挟持するパネル挟持部が設けられ、該基台の底部に磁石による吸着面が形成されてなる商品情報の磁石式表示具において、
該パネル挟持部の下部に円筒部が下向きに突設され、該表示ポールの先端にスリーブが嵌着され、該スリーブの外周に薄い角部付き突部が軸方向に突設され、該円筒部の内周壁には円弧状曲面を有する複数の曲面膨出部が円周方向に連設され、該パネル挟持部の該円筒部内に該表示ポール先端の該スリーブが回動可能に嵌め込まれたことを特徴とする磁石式表示具。
【請求項２】
前記表示ポールには前記スリーブの外径より小さい内径の円筒固定部が緩く嵌挿され、前記パネル挟持部の円筒部内に該表示ポール先端の該スリーブを嵌入した状態で、該円筒固定部を該円筒部の下部に嵌着して、該表示ポールに対し該パネル挟持部を回動可能に保持したことを特徴とする請求項１記載の商品情報の磁石式表示具。
【発明の詳細な説明】
【技術分野】
【０００１】
本発明は、陳列棚等に陳列した商品の商品情報、或は売り場情報、催事情報などを表示する表示パネル（所謂ポップ）を、掲示するための磁石式表示具に関する。
【背景技術】
【０００２】
スーパーマーケットや大型量販店等において、陳列棚に陳列された商品の情報、或は売り場情報、催事情報などを表示した表示パネルを掲示する表示具として、従来、基台の底部に磁石を設け、基台上に表示ポールを垂直に立設し、その表ポールの上端に、表示パネルを挟持するパネル挟持部を直接、或は支持パイプを介して取り付けた磁石式表示具が、下記特許文献１などで知られている。
【特許文献１】実用新案登録第３００２３０３号公報
【発明の開示】
【発明が解決しようとする課題】
【０００３】
この種の磁石式表示具は、基台が磁石により陳列棚などにかなり強く固定されるため、表示パネルの向きを変更できるように、パネルを挟持するパネル挟持部を、表示ポールの先端に対し回動可能に嵌合させている。このため、パネル挟持部を表示ポールに対し回動させると、パネル挟持部が回動するものの、表示ポールの先端部の嵌め合いが緩くなりやすく、緩くなると、パネル挟持部が簡単に回動しすぎてしまい、商品が触れただけでも、簡単に向きが変わってしまう問題があった。
【０００４】
また、別の磁石式表示具として、表示ポールの先端外周に突部を設け、そこにパネル挟持部の下部に設けたスリーブ部の異形孔を嵌め込んで、パネル挟持部を嵌着する構造の磁石式表示具が知られている。しかし、この磁石式表示具は、表示パネルの向きを変える場合、パネル挟持部から表示パネルを外すと共に、パネル挟持部を表示ポールの先端から引き抜き、向きを変えた状態で、再度それを嵌めるという操作を行う必要があり、パネル挟持部から表示パネルを外したり、パネル挟持部を引き抜いて再度嵌め込む作業が煩わしいという課題があった。
【０００５】
本発明は、上記の点に鑑みてなされたもので、基台上に立設された表示ポールに対しパネル挟持部を外すことなくその向きを容易に且つ確実に変えることができる商品情報の磁石式表示具を提供することを目的とする。
【課題を解決するための手段】
【０００６】
上記目的を達成するために、本発明の商品情報の磁石式表示具は、基台上に表示ポールが立設され、表示ポールの上端に表示パネルを挟持するパネル挟持部が設けられ、基台の底部に磁石による吸着面が形成されてなる商品情報の磁石式表示具において、パネル挟持部の下部に円筒部が下向きに突設され、表示ポールの先端に円筒部の内孔にスリーブが嵌着され、スリーブの外周に薄い角部付き突部が軸方向に突設され、円筒部の内孔の内周壁には円弧状曲面を有する複数の曲面膨出部が円周方向に連設され、パネル挟持部の円筒部内に表示ポール先端のスリーブを回動可能に嵌め込んで構成したことを特徴とする。
【０００７】
ここで、請求項２のように、表示ポールにはスリーブの外径より小さい内径の円筒固定部を予め緩く嵌入しておき、パネル挟持部の円筒部内に表示ポール先端のスリーブを嵌入した状態で、その円筒固定部を円筒部の下部に嵌着し、これにより、表示ポールに対しパネル挟持部を回動可能としつつ、パネル挟持部の抜けを阻止する構造とすることができる。
【発明の効果】
【０００８】
このような構成の磁石式表示具は、基台の上部に設けられたパネル挟持部に、商品情報などを記載した表示パネルを挟持させ、陳列棚などの磁性体金属板上に基台を載置する。基台の底部には磁石による吸着面が形成されているから、基台は陳列棚などの被着面上に強力に吸着され、保持される。
【０００９】
表示パネルの向きを変える場合、パネル挟持部を持って表示ポールに対し回動させる。このとき、パネル挟持部の下部の円筒部内周壁と表示ポール先端に嵌着したスリーブの外周面が摺動して、パネル挟持部が回動して表示パネルの向きが変えられる。また、このときのスリーブの外周面に対するパネル挟持部の円筒部の回動は、スリーブの外周面に突設した薄い角部付き突部が、円筒部の内周壁面に連設された円弧状断面の曲面膨出部の境目の凹部に入る毎に安定し、安定角度から安定角度までの間は、スリーブの突部が円筒部の曲面膨出部に接触して適度な摩擦抵抗（操作荷重）を生じつつスムーズに回動する。このため、例えば円筒部内に各々の曲面膨出部が３０度の角度範囲で形成されている場合、パネル挟持部は３０度の角度毎にその向きを安定して変えることができ、回動する際の動きもスムーズに摺動することができる。
【００１０】
また、請求項２のように、パネル挟持部の円筒部を表示ポールの先端に嵌合した状態で、予め緩く表示ポールに外嵌させた円筒固定部を円筒部の下部に嵌着する構造とすれば、簡単に組み付けることができると共に、パネル挟持部の抜けを阻止しながらパネル挟持部を円滑に回動可能に取り付けることができる。また、このような構成とすることにより、表示ポールには突部などの加工が不要となり、加工工数を削減して安価に製造することができる。
【発明を実施するための最良の形態】
【００１１】
以下、本発明の実施の形態を図面に基づいて説明する。図１は磁石式表示具の斜視図を、図２はその分解斜視図を示している。１は表示具の基台であって、平面視で略矩形の箱形に金属板で形成されている。
【００１２】
基台１上には垂直に表示ポール２が立設されている。この表示ポール２は、金属丸棒から形成され、基台１上にかしめ加工などにより固定されている。基台１の内部には複数の永久磁石がコア（鋼板）を介装した状態で収納され、基台１の底部にはコアの端部が露出し、コアの端部に強力な磁力が発生し、底部に吸着面を形成している。このため、基台１を陳列棚などの磁性体金属板の被着面上に載置した際、その磁力により吸着面を金属板上に強力に吸着することができる。
【００１３】
この基台１上に立設された表示ポール２の先端に、商品情報などの表示パネルＰを挟持するためのパネル挟持部３が、その向きを変えるように回動可能に取り付けられる。このパネル挟持部３を回動可能に表示ポール先端に取り付けるために、図２に示すように、円筒部４、スリーブ６、及び円筒固定部７が使用される。
【００１４】
パネル挟持部３は、ポリカーボネート樹脂などの透明プラスチックにより、表示パネルＰを上から差し込んで挟持可能に、上方に開口した凹部を有して形成される。凹部の両側の挟持片は、ばね弾性を有しており、上から挿入される適当な厚さの表示パネルを、適度な弾性力をもって挟持可能である。さらに、パネル挟持部３の下部中央には、円筒部４が下方に向けて突設されている。この円筒部４はプラスチックによりパネル挟持部３と一体成形することができる。
【００１５】
図３、図４に示すように、円筒部４内の内周壁５には、円弧状曲面を有する複数の曲面膨出部５ａが円周方向に連設されている。この曲面膨出部５ａは、横断面を円弧形状とする膨出曲面を内側に設けて形成され、その内周壁面における幅（角度）は、例えば３０度に形成され、内周壁５には１２個の曲面膨出部５ａがここでは連設されている。各曲面膨出部５ａの曲率は内周壁面の曲率に比べ小さいため、図４に示すように、各曲面膨出部５ａと曲面膨出部５ａの間（接合する部分）で凹部が３０度の間隔で形成され、その凹部が膨出曲面を介して連続する形態となっている。この曲面膨出部５ａの角度幅は、３０度以外の角度とすることもできる。
【００１６】
スリーブ６は表示ポール２の先端に嵌着される。スリーブ６は、例えば熱可塑性エラストマーなどの耐摩耗性、摺動性が良好な合成樹脂により円筒形に成形される。そして、そのスリーブ６の内径は表示ポール２の先端外径より僅かに小径に形成され、表示ポール２の先端外周部にスリーブ６は強固に嵌め込み嵌着され、或いは接着剤により接着される。さらに、このスリーブ６の外周面には、図６に示すように、高さの低いつまり厚さの薄い角部付き突部６ａが軸方向に２本突設されている。この角部付き突部６ａは外周面における両側対角線上に位置し、その突出高さは、例えば約０．５ｍｍ程度と微細で非常に低く、上記円筒部４の内周壁５の曲面膨出部５ａ間における凹部の深さ程度に形成されている。
【００１７】
スリーブ６の外径は、上記円筒部４の内径（曲面膨出部５ａの内側を結んだ円の径）と同じか、僅かにその内径より大きく形成され、パネル挟持部３の円筒部４内に表示ポール２のスリーブ６を嵌め込んだとき、略締り嵌めに近い状態で嵌合可能である。
【００１８】
円筒部４の下部に固定される円筒固定部７は、図７に示すように、上部に細径部分を有した円筒状に、上記パネル挟持部３と同じプラスチックにより形成される。この円筒固定部７は、その上部に上記円筒部４内に嵌入可能な嵌入部７ａを形成し、中央外周部に設けた段差部７ｂを介して上部の嵌入部７ａが設けられる。さらに、この円筒固定部７は表示ポール２に対し緩く外嵌可能な内径を有して形成され、その内径はスリーブ６の外径より小さく、スリーブ６の下端を下側から支持可能である。この円筒固定部７は、スリーブ６を嵌着する前に、表示ポール２の外周部に嵌入して緩く外嵌させて装着される。その後、スリーブ６が表示ポール２の先端に強固に嵌着され、円筒部４をスリーブ６に嵌入した状態で、円筒固定部７を円筒部４の下部に嵌合接着する。
【００１９】
このような構成の磁石式表示具は、先ず円筒固定部７を表示ポール２の先端からその外周部に嵌入し、その後、スリーブ６を表示ポール２の先端に嵌着する。スリーブ６は密に嵌め合わせて嵌着することもできるが、接着剤を使用して表示ポール２の先端に固着することもできる。そして、先端のスリーブ６の上に、パネル挟持部３の円筒部４を嵌め込む。このとき、スリーブ６の外周部が円筒部４の内孔に回動可能に嵌入され、スリーブ６の外周の角部付き突部６ａは、円筒部４の内周壁５の各曲面膨出部５ａの間の凹部内に密に安定して嵌り込んだ状態となる。この状態で、円筒部４の下部に、下側から円筒固定部７を嵌め込み、接着剤による接着により固定する。
【００２０】
これにより、図８に示す如く、円筒固定部７の嵌入部７ａが円筒部４の内側に嵌入固定され、円筒固定部７の上端面がスリーブ６の下端面に軽く接触した状態となり、パネル挟持部３は、表示ポール２の先端に、円筒部４を介して、回動可能に且つ抜けを阻止した状態で装着される。したがって、円筒固定部７を円筒部４の下部に固定した状態において、パネル挟持部３が表示ポール２から外れることはなく、修理などにより外す場合は、スリーブ６ごと表示ポール２から抜き取ることになる。
【００２１】
このような磁石式表示具は、陳列棚などの上（鋼板や磁性体金属板の上）に商品情報などの表示パネルＰを掲示する際に使用され、基台１上に設けられたパネル挟持部３には、商品情報、売り場情報、催事情報などを表示する表示パネルＰを挟み込むように保持させ、基台１は、陳列棚などの磁性体金属板上に載置される。
【００２２】
パネル挟持部３に挟持した表示パネルＰの向きを変えたい場合、パネル挟持部３を持って或いは表示パネルＰを持って任意の方向に任意の角度だけ回す。このとき、パネル挟持部３の円筒部４は、その内孔に嵌入されたスリーブ６に対し回動するが、その回動時には、スリーブ６の角部付き突部６ａが、円筒部４の内周壁５の曲面膨出部５ａを乗り越えて、各曲面膨出部５ａ間の凹部に入るように、作用する。
【００２３】
これにより、各曲面膨出部５ａは、ここでは３０度の角度範囲で形成されているため、パネル挟持部３とそこに挟持される表示パネルＰは３０度ごとに節度感をもって停止し、表示パネルＰの向きを希望する方向に変えることができる。また、このようなパネル挟持部３の回動時、スリーブ６の角部付き突部６ａは曲面膨出部５ａの曲面を摺動して乗り越えるから、回動をスムーズに行うことができ、角部付き突部６ａが曲面膨出部５ａ間の凹部に入ったとき、安定した節度感が生じて回動を軽く良好に止めることができる。
【００２４】
図９は他の実施形態の磁石式表示具を示し、この例では、２枚の表示パネルＰを背面合わせ状態で、パネル挟持部１３に挟持させるようにしている。すなわち、このパネル挟持部１３は、３枚の挟持片を並設して形成され、その内側に２個の挟持凹部が形成されるようにしている。このパネル挟持部１３の下部には、上記と同様の円筒部１４が下方に突出して一体成形され、円筒部１４の内周壁には、上記と同様の曲面膨出部が連設されている。
【００２５】
このように構成されたパネル挟持部１３は、上記と同様に、その円筒部１４を、上記の表示ポール２の先端のスリーブ６に回動可能に嵌め込んで使用され、パネル挟持部１３つまり表示パネルＰは、それを持って回動するだけの簡単な操作で、節度感を持って回すことができ、円筒部１４内の曲面膨出部により決まる角度ごとにその向きを変えることができる。
【００２６】
なお、上記実施例では、円筒部４，１４内の内周壁５に曲面膨出部５ａを３０度の角度範囲で連設したが、その角度はパネル挟持部３，１３の回動角度に応じて任意に設定することができる。
【００２７】
以上説明したように、本発明の商品情報の磁石式表示具によれば、パネル挟持部の下部に円筒部が下向きに突設され、表示ポールの先端に円筒部の内孔にスリーブが嵌着され、スリーブの外周に薄い角部付き突部が軸方向に突設され、円筒部の内孔の内周壁には円弧状曲面を有する複数の曲面膨出部が円周方向に連設され、パネル挟持部の円筒部内に表示ポール先端のスリーブを回動可能に嵌め込み、パネル挟持部の円筒部が表示ポール先端のスリーブに対し適度な操作荷重と節度感をもって回動するようにしたから、基台上に立設された表示ポールに対しパネル挟持部を外すことなくその向きを容易に且つ確実に変えることができる。
【図面の簡単な説明】
【００２８】
【図１】本発明の一実施形態を示す磁石式表示具の斜視図である。
【図２】同磁石式表示具の分解斜視図である。
【図３】パネル挟持部の円筒部の拡大断面図である。
【図４】図３のIV-IV断面図である。
【図５】スリーブの半断面図である。
【図６】図５のVI-VI断面図である。
【図７】円筒固定部の半断面図である。
【図８】磁石式表示具の要部拡大断面図である。
【図９】他の実施形態の磁石式表示具の斜視図である。
【符号の説明】
【００２９】
１−基台
２−表示ポール
３−パネル挟持部
４−円筒部
５−内周壁
５ａ−曲面膨出部
６−スリーブ
６ａ−角部付き突部
７−円筒固定部                                                                        
【図１】
2005181708.tif 000003
【図２】
2005181708.tif 000004
【図３】
2005181708.tif 000005
【図４】
2005181708.tif 000006
【図５】
2005181708.tif 000007
【図６】
2005181708.tif 000008
【図７】
2005181708.tif 000009
【図８】
2005181708.tif 000010
【図９】
2005181708.tif 000011